(57)【要約】【課題】コストを抑えつつ、ハウジング同士の中途嵌合状態を円滑に抑制できるコネクタを提供すること。【解決手段】オスハウジング７０は、オス端子７５に接触されてオス端子７５同士を導通させるショート端子８１を備え、ショート端子８１は、嵌合されるメスハウジング２０によって押圧されて弾性変形することで、オスハウジング７０から離脱させる反発力をメスハウジング２０に付与する弾性押圧片８３と、弾性押圧片８３に設けられ、オス端子７５に接触する接点９３と、を備え、接点９３は、オスハウジング７０とメスハウジング２０との完全嵌合時における弾性押圧片８３の弾性変形によってオス端子７５から外れた位置に配置される。【選択図】図８
2020068127.tif 000002
【特許請求の範囲】
【請求項１】
複数の接続端子をそれぞれ有する第一ハウジング及び第二ハウジングを備え、前記第一ハウジングと第二ハウジングとが互いに嵌合されることで互いの前記接続端子同士が電気的に接続されるコネクタであって、
前記第一ハウジングは、
前記接続端子に接触されて前記接続端子同士を導通させるショート端子を備え、
前記ショート端子は、
嵌合される前記第二ハウジングによって押圧されて弾性変形することで、前記第一ハウジングから離脱させる反発力を前記第二ハウジングに付与する弾性押圧片と、
前記弾性押圧片に設けられ、前記接続端子に接触する接点と、
を備え、
前記接点は、前記第一ハウジングと前記第二ハウジングとの完全嵌合時における前記弾性押圧片の弾性変形によって前記接続端子から外れた位置に配置される
ことを特徴とするコネクタ。
【請求項２】
前記ショート端子は、前記第一ハウジングにおける前記第二ハウジングとの嵌合方向の前方側へ向かって互いに離間する方向へ傾斜された一対の前記弾性押圧片を有し、
前記第二ハウジングは、前記第一ハウジングとの嵌合方向の前方側へ向かって突出し、前記第一ハウジングとの嵌合時に一対の前記弾性押圧片の間に嵌め込まれる絶縁板部を有する
ことを特徴とする請求項１に記載のコネクタ。
【請求項３】
前記ショート端子の前記接点は、前記第一ハウジングと前記第二ハウジングとが嵌合あるいは離脱される際に、前記接続端子に対して摺動される
ことを特徴とする請求項１または請求項２に記載のコネクタ。
【発明の詳細な説明】
【技術分野】
【０００１】
本発明は、コネクタに関する。
【背景技術】
【０００２】
接続端子を備えたハウジング同士が嵌合されることで、それぞれのハウジングの接続端子同士が電気的に接続されるコネクタとして、中途嵌合状態を抑制する半嵌合防止機能を備えたものが知られている（例えば、特許文献１参照）。
【０００３】
このコネクタは、一方のハウジングに、スプリングによって他方のハウジングとの嵌合方向の前方へ付勢されたスライダを備えており、互いが嵌合途中である中途嵌合においては、スライダがスプリングの付勢力に抗して嵌合方向の後方側へ変位されることで、スプリングの反発力によってハウジング相互の中途嵌合が抑制される。
【先行技術文献】
【特許文献】
【０００４】
【特許文献１】特開２０００−５８２００号公報
【発明の概要】
【発明が解決しようとする課題】
【０００５】
ところで、上記のコネクタは、中途嵌合状態を抑制するために、一方のハウジングにスライダを移動可能に支持し、さらに、このスライダを他方のハウジングとの嵌合方向の前方へ付勢するスプリングを収容させている。このため、部品点数の増大及び構造の複雑化を招き、コストが嵩んでしまう。
【０００６】
本発明は、上述した事情に鑑みてなされたものであり、その目的は、コストを抑えつつ、ハウジング同士の中途嵌合状態を円滑に抑制できるコネクタを提供することにある。
【課題を解決するための手段】
【０００７】
前述した目的を達成するために、本発明に係るコネクタは、下記（１）〜（３）を特徴としている。
（１）  複数の接続端子をそれぞれ有する第一ハウジング及び第二ハウジングを備え、前記第一ハウジングと第二ハウジングとが互いに嵌合されることで互いの前記接続端子同士が電気的に接続されるコネクタであって、
前記第一ハウジングは、
前記接続端子に接触されて前記接続端子同士を導通させるショート端子を備え、
前記ショート端子は、
嵌合される前記第二ハウジングによって押圧されて弾性変形することで、前記第一ハウジングから離脱させる反発力を前記第二ハウジングに付与する弾性押圧片と、
前記弾性押圧片に設けられ、前記接続端子に接触する接点と、
を備え、
前記接点は、前記第一ハウジングと前記第二ハウジングとの完全嵌合時における前記弾性押圧片の弾性変形によって前記接続端子から外れた位置に配置される
ことを特徴とするコネクタ。
（２）  前記ショート端子は、前記第一ハウジングにおける前記第二ハウジングとの嵌合方向の前方側へ向かって互いに離間する方向へ傾斜された一対の前記弾性押圧片を有し、
前記第二ハウジングは、前記第一ハウジングとの嵌合方向の前方側へ向かって突出し、前記第一ハウジングとの嵌合時に一対の前記弾性押圧片の間に嵌め込まれる絶縁板部を有する
ことを特徴とする（１）に記載のコネクタ。
（３）  前記ショート端子の前記接点は、前記第一ハウジングと前記第二ハウジングとが嵌合あるいは離脱される際に、前記接続端子に対して摺動される
ことを特徴とする（１）または（２）に記載のコネクタ。
【０００８】
上記（１）の構成のコネクタによれば、第一ハウジングの接続端子同士を導通させるショート端子の接点が、第一ハウジングと第二ハウジングとが完全嵌合されることで接続端子から外れた位置に配置され、接続端子同士の導通状態が解除される。したがって、第一ハウジングの接続端子同士の導通状態を監視することにより、第一ハウジングと第二ハウジングとの非嵌合状態を容易に検知することができる。
また、ショート端子は、第一ハウジングと第二ハウジングとが中途嵌合状態のときに、第二ハウジングによって押圧されて弾性変形される弾性押圧片が、第一ハウジングから離脱させる反発力を第二ハウジングに付与し、中途嵌合状態を抑制することができる。
このように、非嵌合状態の検知のためのショート端子に、中途嵌合状態を抑制する半嵌合防止機能をもたせることで、スライダやスプリングなどの部品を備える構造と比較し、部品点数の削減及び構造の簡略化を図ることができる。これにより、コストを抑えつつ、第一ハウジングと第二ハウジングとの中途嵌合状態を円滑に抑制できる。
上記（２）の構成のコネクタによれば、第一ハウジングと第二ハウジングとの嵌合によって一対の弾性押圧片が第二ハウジングの絶縁板部によって押し広げられるように弾性変形し、その復元力が第一ハウジングと第二ハウジングとを離脱させる反発力として付与される構造である。したがって、第一ハウジングと第二ハウジングとの間に、弾性変形された一対の弾性押圧片の復元力からなる反発力をバランス良く付与させることができ、第一ハウジングと第二ハウジングとの中途嵌合状態をより円滑に抑制できる。
上記（３）の構成のコネクタによれば、第一ハウジングと第二ハウジングとが嵌合あるいは離脱されることで接点が接続端子に対して摺動される。これにより、接続端子における接点との接触箇所に酸化皮膜が形成されていたとしても、接点が摺動することで酸化皮膜が除去される。したがって、ショート端子と接続端子との良好な導通状態を確保することができる。
【発明の効果】
【０００９】
本発明によれば、コストを抑えつつ、ハウジング同士の中途嵌合状態を円滑に抑制できるコネクタを提供できる。
【００１０】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１１】
【図１】図１は、本実施形態に係るコネクタを示すオスハウジング及びメスハウジングの斜視図である。
【図２】図２は、本実施形態に係るコネクタを示す図であって、図２（ａ）は、オスハウジング側からの正面図、図２（ｂ）は、オスハウジング及びメスハウジングの側面図である。
【図３】図３は、本実施形態に係るコネクタを示す図であって、図３（ａ）は図２（ａ）におけるＡ−Ａ断面図、図３（ｂ）は図２（ａ）におけるＢ−Ｂ断面図である。
【図４】図４は、オスハウジングの分解斜視図である。
【図５】図５は、ショート端子及びオス端子の斜視図である。
【図６】図６は、メスハウジングの分解斜視図である。
【図７】図７は、コネクタの嵌合状態を示す図であって、図７（ａ）〜図７（ｄ）は、それぞれ図２（ａ）におけるＡ−Ａ断面図である。
【図８】図８は、コネクタの嵌合状態を示す図であって、図８（ａ）〜図８（ｄ）は、それぞれ図２（ａ）におけるＢ−Ｂ断面図である。
【図９】図９は、オスハウジングとメスハウジングとの嵌合時におけるショート端子の動きを示す図であって、図９（ａ）〜図９（ｄ）は、それぞれ図２（ａ）におけるメスハウジングを省いたＢ−Ｂ断面図である。
【発明を実施するための形態】
【００１２】
以下、本発明に係る実施の形態の例を、図面を参照して説明する。
図１は、本実施形態に係るコネクタを示すオスハウジング及びメスハウジングの斜視図である。図２は、本実施形態に係るコネクタを示す図であって、図２（ａ）は、オスハウジング側からの正面図、図２（ｂ）は、オスハウジング及びメスハウジングの側面図である。図３は、本実施形態に係るコネクタを示す図であって、図３（ａ）は図２（ａ）におけるＡ−Ａ断面図、図３（ｂ）は図２（ａ）におけるＢ−Ｂ断面図である。
【００１３】
図１、図２（ａ）（ｂ）及び図３（ａ）（ｂ）に示すように、本実施形態の係るコネクタ１０は、互いに嵌合されるオスハウジング（第一ハウジング）７０とメスハウジング（第二ハウジング）２０とを備えている。コネクタ１０は、例えば、自動車等に設けられる車載のエアバッグシステムの電気コネクタとして用いられるもので、半嵌合防止機能を備えたコネクタである。オスハウジング７０は、例えば、エアバッグシステムのインフレータなどの機器１に設けられる。
【００１４】
オスハウジング７０は接続部７０ａを有し、メスハウジング２０は嵌合部２０ａを有している。コネクタ１０は、オスハウジング７０の接続部７０ａとメスハウジング２０の嵌合部２０ａとを嵌合させることで互いに接合される。
【００１５】
図４は、オスハウジングの分解斜視図である。
図３（ａ）（ｂ）及び図４に示すように、オスハウジング７０は、合成樹脂から成形されたもので、筒状の接続部７０ａを有している。このオスハウジング７０には、二つのオス端子（接続端子）７５が設けられている。オス端子７５は、例えば、銅または銅合金等の導電性金属材料からなる細長の板材に曲げ加工を施して形成されている。これらのオス端子７５は、オスハウジング７０の先端側へ延びるタブ部７６と、オスハウジング７０の後端側へ延びる配線部７７と、これらのタブ部７６と配線部７７との間を繋ぐ連設部７８とを有している。オス端子７５は、例えば、インサート成形することでオスハウジング７０に一体的に設けられている。オス端子７５は、配線部７７及び連設部７８がオスハウジング７０に埋め込まれ、タブ部７６がオスハウジング７０の接続部７０ａの内部に配置されている。オス端子７５は、配線部７７がオスハウジング７０の後端面で露出されており、この配線部７７に、機器１側の配線が接続される。
【００１６】
オスハウジング７０は、その上部に、一対のガイド突条７１と、ロック部７２とを有している。ガイド突条７１は、メスハウジング２０との嵌合方向（以下、単に嵌合方向と呼ぶ）と直交する方向に沿って間隔をあけて形成されている。ロック部７２は、一対のガイド突条７１の間であるオスハウジング７０の上部における幅方向中央位置に形成されている。ロック部７２は、オスハウジング７０の上面から突設されており、嵌合方向の前方側には、オスハウジング７０の後端側へ向かって次第に上方へ傾斜したガイド面７３が形成されている。
【００１７】
オスハウジング７０には、オス端子７５に隣接する位置にショート端子８１が支持されている。オスハウジング７０には、オス端子７５の上方位置に、支持凹部７９が形成されており、ショート端子８１は、オスハウジング７０に対して、その先端側から支持凹部７９へ挿し込まれて組付けられている。ショート端子８１は、例えば、銅または銅合金等の導電性金属材料からなる細長の板材に対して打抜き加工及び曲げ加工を施して形成されている。
【００１８】
図５は、ショート端子及びオス端子の斜視図である。
図５に示すように、ショート端子８１は、固定片８２と、一対の弾性押圧片８３と、連結部８４とを有している。
【００１９】
固定片８２は、両端を屈曲させることで固定部８５が形成されている。これらの固定部８５には、上下の縁部に、食い込み突起８５ａが形成されている。
【００２０】
一対の弾性押圧片８３は、ベース板部９１の両側からそれぞれ延在されている。ベース板部９１は、連結部８４によって固定片８２の長さ方向の中央に連設されて支持されている。一対の弾性押圧片８３は、ベース板部９１から固定片８２と反対側へ向かって互いに離間する斜め方向へ延在されている。これらの弾性押圧片８３は、その先端部における下縁に、互いに近接する内側へ延びる接点片９２を有している。それぞれの接点片９２には、その延在方向の略中央部分を湾曲させることで、下方へ膨出する接点９３が形成されている。
【００２１】
このショート端子８１は、オスハウジング７０の支持凹部７９に固定片８２を挿し込むことで、固定片８２の固定部８５に形成された食い込み突起８５ａが支持凹部７９の上下面に食い込む。これにより、ショート端子８１がオスハウジング７０に固定される。ショート端子８１は、オスハウジング７０へ固定した状態において、弾性押圧片８３の接点片９２がオス端子７５のタブ部７６の後端側における上面に配置される。そして、この状態で接点片９２の接点９３がタブ部７６の上面に当接して接触されている。これにより、オス端子７５同士がショート端子８１によって導通され、例えば、エアバッグシステムのインフレータ側の回路が短絡状態とされる。これにより、例えば、インフレータ側の回路では、警告灯が点灯することで、オスハウジング７０にメスハウジング２０が正規嵌合されていないことが警告される。
【００２２】
図６は、メスハウジングの分解斜視図である。
図３（ａ）（ｂ）及び図６に示すように、メスハウジング２０は、合成樹脂から成形されたもので、筒状の嵌合部２０ａの内側に、嵌合突部２１が突設されている。この嵌合突部２１には、二つの端子収容室２２が形成されている。これらの端子収容室２２には、電線２３の端部に接続されたメス端子（接続端子）２５が収容されており、電線２３は、メスハウジング２０の後端から引き出されている。端子収容室２２には、電線２３に装着されたシール部材２４がメスハウジング２０の後端側から嵌め込まれている。これにより、メス端子２５が収容されたメスハウジング２０の端子収容室２２が止水されている。
【００２３】
メス端子２５は、例えば、銅または銅合金等の導電性金属材料から形成されたもので、電線２３に圧着されて接続されている。このメス端子２５は、筒状に形成された電気接続部２６を有している。
【００２４】
メスハウジング２０の嵌合突部２１には、先端側からオスハウジング７０との接合箇所をシールする環状のシール部材２７が装着されている。
【００２５】
また、嵌合突部２１には、オスハウジング７０との嵌合方向（以下、単に嵌合方向と呼ぶ）の前方へ向かって突出する板状の絶縁板部２９が形成されている。この絶縁板部２９は、端子収容室２２に収容されたメス端子２５の配列方向に沿って形成されている。絶縁板部２９の先端における両角部には、先端から後端へ向かって絶縁板部２９の幅方向の外方へ傾斜する押圧テーパ部２９ａが形成されている。
【００２６】
メスハウジング２０には、その上部における後端寄りに、ロック収容部３０が形成されており、このロック収容部３０には、ロック部材３１が装着されている。このロック部材３１は、矩形状の枠体からなる揺動枠部３２と、この揺動枠部３２の先端側に連設されて一体に設けられた可撓部３３とを有している。揺動枠部３２は、その両側部がメスハウジング２０のロック収容部３０を構成する両側壁３０ａ内に位置している。揺動枠部３２は、先端側に、下方側へ突出するロック爪３４を有している。また、揺動枠部３２は、その後端側が操作部３５とされている。揺動枠部３２の先端側に連設された可撓部３３は、揺動枠部３２の内側に配置されており、揺動枠部３２の後端側へ向かって延在されている。可撓部３３は、その端部がメスハウジング２０の上部に連設されている。
【００２７】
次に、上記構造のコネクタ１０において、オスハウジング７０とメスハウジング２０とを嵌合させる場合について説明する。
図７は、コネクタの嵌合状態を示す図であって、図７（ａ）〜図７（ｄ）は、それぞれ図２（ａ）におけるＡ−Ａ断面図である。図８は、コネクタの嵌合状態を示す図であって、図８（ａ）〜図８（ｄ）は、それぞれ図２（ａ）におけるＢ−Ｂ断面図である。図９は、オスハウジングとメスハウジングとの嵌合時におけるショート端子の動きを示す図であって、図９（ａ）〜図９（ｄ）は、それぞれ図２（ａ）におけるメスハウジングを省いたＢ−Ｂ断面図である。
【００２８】
図７（ａ）に示すように、オスハウジング７０の接続部７０ａにメスハウジング２０の嵌合部２０ａを近接させ、オスハウジング７０の接続部７０ａにメスハウジング２０の嵌合部２０ａを嵌め込む。すると、メスハウジング２０のロック部材３１のロック爪３４がオスハウジング７０のロック部７２のガイド面７３に接触する。この中途嵌合初期状態では、メス端子２５の電気接続部２６にオス端子７５のタブ部７６が接触されず、また、図８（ａ）に示すように、ショート端子８１の弾性押圧片８３に対して絶縁板部２９の押圧テーパ部２９ａが僅かに離れた位置に配置される。したがって、図９（ａ）に示すように、オスハウジング７０では、ショート端子８１の弾性押圧片８３に形成された接点片９２がオス端子７５のタブ部７６の上方位置に配置される。これにより、接点片９２の接点９３がタブ部７６に接触し、オス端子７５同士の導通状態が維持される。
【００２９】
図７（ｂ）に示すように、オスハウジング７０に対してメスハウジング２０を押し込むと、ロック部７２のガイド面７３に接触していたロック部材３１のロック爪３４がガイド面７３に沿って摺動して乗り上げ始める。そして、メスハウジング２０の嵌合突部２１に装着されたシール部材２７にオスハウジング７０の接続部７０ａが接触し始める。この中途嵌合状態では、メス端子２５の電気接続部２６に対してオス端子７５のタブ部７６の先端部分が僅かに挿入される。
【００３０】
また、図８（ｂ）に示すように、ショート端子８１の弾性押圧片８３に対して絶縁板部２９の押圧テーパ部２９ａが接触し、弾性押圧片８３が絶縁板部２９によって僅かに押し込まれる。これにより、図９（ｂ）に示すように、ショート端子８１の弾性押圧片８３は、絶縁板部２９によって押し込まれることで弾性変形する。なお、この時点では、ショート端子８１の弾性押圧片８３に形成された接点片９２がオス端子７５のタブ部７６の上方位置に配置された状態とされる。したがって、接点片９２の接点９３がタブ部７６に接触し、オス端子７５同士の導通状態が維持される。この中途嵌合状態では、弾性変形されたショート端子８１の弾性押圧片８３の弾性力がオスハウジング７０とメスハウジング２０とを離脱させる方向に作用する反発力としてメスハウジング２０に付与される。したがって、この中途嵌合状態で嵌め込み作業を止めると、ショート端子８１の弾性押圧片８３から受ける反発力によってオスハウジング７０に対してメスハウジング２０が押し戻されて離脱される。
【００３１】
図７（ｃ）に示すように、オスハウジング７０に対してメスハウジング２０をさらに押し込むと、ロック部７２のガイド面７３に沿って摺動していたロック部材３１のロック爪３４がロック部７２の頂部に到達する。そして、メスハウジング２０の嵌合突部２１に装着されたシール部材２７にオスハウジング７０の接続部７０ａが密着し、オスハウジング７０とメスハウジング２０との接合箇所がシールされる。この中途嵌合状態では、メス端子２５の電気接続部２６に対してオス端子７５のタブ部７６が挿入されて互いに導通される。
【００３２】
また、図８（ｃ）に示すように、ショート端子８１の弾性押圧片８３が絶縁板部２９によって押し込まれる。これにより、図９（ｃ）に示すように、ショート端子８１の弾性押圧片８３の弾性変形量が大きくなる。なお、この時点においても、ショート端子８１の弾性押圧片８３に形成された接点片９２の一部がオス端子７５のタブ部７６の上方位置に配置された状態とされる。したがって、接点片９２の接点９３がタブ部７６に接触し、オス端子７５同士の導通状態が維持される。この中途嵌合状態においても、弾性変形されたショート端子８１の弾性押圧片８３の弾性力がオスハウジング７０とメスハウジング２０とを離脱させる方向に作用する反発力としてメスハウジング２０に付与される。したがって、この中途嵌合状態で嵌め込み作業を止めると、ショート端子８１の弾性押圧片８３から受ける反発力によってオスハウジング７０に対してメスハウジング２０が押し戻されて離脱される。
【００３３】
図７（ｄ）に示すように、オスハウジング７０に対してメスハウジング２０をさらに押し込むと、ロック部材３１のロック爪３４がロック部７２を乗り越える。これにより、ロック爪３４によってロック部７２が係止され、メスハウジング２０がオスハウジング７０にロックされた完全嵌合状態となる。
【００３４】
この完全嵌合状態で、メスハウジング２０の嵌合突部２１に装着されたシール部材２７にオスハウジング７０の接続部７０ａが密着し、オスハウジング７０とメスハウジング２０との接合箇所が確実にシールされる。この中途嵌合状態では、メス端子２５の電気接続部２６に対してオス端子７５のタブ部７６が挿入され、メス端子２５とオス端子７５とが電気的に接続される。
【００３５】
また、図８（ｄ）に示すように、完全嵌合状態となることで、ショート端子８１の弾性押圧片８３が絶縁板部２９によってさらに押し込まれる。これにより、図９（ｄ）に示すように、ショート端子８１の弾性押圧片８３の弾性変形量がさらに大きくなる。そして、この完全嵌合状態となった時点で、ショート端子８１の弾性押圧片８３に形成された接点片９２がオス端子７５のタブ部７６の上方位置から外れた位置に配置される。したがって、接点片９２の接点９３がタブ部７６から離間し、オス端子７５同士の導通状態が解除される。これにより、例えば、インフレータ側の回路において、警告灯が消灯する。
【００３６】
この完全嵌合状態からメスハウジング２０をオスハウジング７０から離脱させるには、メスハウジング２０のロック部材３１の操作部３５を押下する。すると、ロック部材３１の可撓部３３が弾性変形して揺動枠部３２が揺動し、ロック爪３４によるロック部７２の係止が解除される。これにより、ショート端子８１の弾性押圧片８３から受ける反発力によってオスハウジング７０に対してメスハウジング２０が押し戻されて離脱される。したがって、メスハウジング２０がオスハウジング７０から離脱されて嵌合が解除され、メス端子２５とオス端子７５との電気的な接続状態が解除される。
【００３７】
このとき、メスハウジング２０の絶縁板部２９がオスハウジング７０から引き抜かれることで、絶縁板部２９によるショート端子８１の弾性押圧片８３の押し込みが解除される。すると、弾性変形していたショート端子８１の弾性押圧片８３が復元し、弾性押圧片８３の接点片９２がオス端子７５のタブ部７６の上方位置の初期位置へ戻される。したがって、接点片９２の接点９３がタブ部７６に接触し、オス端子７５同士が導通状態となる。これにより、例えば、インフレータ側の回路では、警告灯が点灯することで、オスハウジング７０とメスハウジング２０との正規嵌合が解除されたことが警告される。
【００３８】
また、オスハウジング７０とメスハウジング２０との嵌合解除によってショート端子８１の弾性変形されていた弾性押圧片８３が復元して初期位置へ戻されると、接点片９２の接点９３がオス端子７５のタブ部７６に対して摺動する。これにより、タブ部７６の表面に酸化皮膜が形成されていたとしても、接点片９２の接点９３が摺動することで、タブ部７６の表面の酸化皮膜が除去される。
【００３９】
以上、説明したように、本実施形態に係るコネクタ１０によれば、オスハウジング７０のオス端子７５同士を導通させるショート端子８１の接点９３が、オスハウジング７０とメスハウジング２０とが完全嵌合されることでオス端子７５のタブ部７６から外れた位置に配置され、オス端子７５同士の導通状態が解除される。したがって、オスハウジング７０のオス端子７５同士の導通状態を監視することにより、オスハウジング７０とメスハウジング２０との非嵌合状態を容易に検知することができる。
【００４０】
また、ショート端子８１は、オスハウジング７０とメスハウジング２０とが中途嵌合状態のときに、メスハウジング２０によって押圧されて弾性変形される弾性押圧片８３が、オスハウジング７０から離脱させる反発力をメスハウジング２０に付与し、中途嵌合状態を抑制することができる。
【００４１】
このように、非嵌合状態の検知のためのショート端子８１に、中途嵌合状態を抑制する半嵌合防止機能をもたせることで、スライダやスプリングなどの部品を備える構造と比較し、部品点数の削減及び構造の簡略化を図ることができる。これにより、コストを抑えつつ、オスハウジング７０とメスハウジング２０との中途嵌合状態を円滑に抑制できる。
【００４２】
しかも、オスハウジング７０とメスハウジング２０との嵌合によって一対の弾性押圧片８３がメスハウジング２０の絶縁板部２９によって押し広げられるように弾性変形し、その復元力がオスハウジング７０とメスハウジング２０とを離脱させる反発力として付与される構造である。したがって、オスハウジング７０とメスハウジング２０との間に、弾性変形された一対の弾性押圧片８３の復元力からなる反発力をバランス良く付与させることができ、オスハウジング７０とメスハウジング２０との中途嵌合状態をより円滑に抑制できる。
【００４３】
また、オスハウジング７０とメスハウジング２０とが嵌合あるいは離脱されることで接点９３がオス端子７５のタブ部７６に対して摺動される。これにより、オス端子７５のタブ部７６における接点９３との接触箇所に酸化皮膜が形成されていたとしても、接点９３が摺動することで酸化皮膜が除去される。したがって、ショート端子８１とオス端子７５との良好な導通状態を確保することができる。
【００４４】
なお、上記実施形態では、オスハウジング７０がインフレータなどの機器１に設けられる場合を例示したが、オスハウジング７０としては、電線に接続されたオス端子７５を端子収容室に収容した構造であってもよい。
【００４５】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４６】
ここで、上述した本発明に係るコネクタの実施形態の特徴をそれぞれ以下［１］〜［３］に簡潔に纏めて列記する。
［１］  複数の接続端子（オス端子７５，メス端子２５）をそれぞれ有する第一ハウジング（オスハウジング７０）及び第二ハウジング（メスハウジング２０）を備え、前記第一ハウジング（オスハウジング７０）と第二ハウジング（メスハウジング２０）とが互いに嵌合されることで互いの前記接続端子（オス端子７５，メス端子２５）同士が電気的に接続されるコネクタ（１０）であって、
前記第一ハウジング（オスハウジング７０）は、
前記接続端子（オス端子７５）に接触されて前記接続端子（オス端子７５）同士を導通させるショート端子（８１）を備え、
前記ショート端子（８１）は、
嵌合される前記第二ハウジング（メスハウジング２０）によって押圧されて弾性変形することで、前記第一ハウジング（オスハウジング７０）から離脱させる反発力を前記第二ハウジング（メスハウジング２０）に付与する弾性押圧片（８３）と、
前記弾性押圧片（８３）に設けられ、前記接続端子（オス端子７５）に接触する接点（９３）と、
を備え、
前記接点（９３）は、前記第一ハウジング（オスハウジング７０）と前記第二ハウジング（メスハウジング２０）との完全嵌合時における前記弾性押圧片（８３）の弾性変形によって前記接続端子（オス端子７５）から外れた位置に配置される
ことを特徴とするコネクタ。
［２］  前記ショート端子（８１）は、前記第一ハウジング（オスハウジング７０）における前記第二ハウジング（メスハウジング２０）との嵌合方向の前方側へ向かって互いに離間する方向へ傾斜された一対の前記弾性押圧片（８３）を有し、
前記第二ハウジング（メスハウジング２０）は、前記第一ハウジング（オスハウジング７０）との嵌合方向の前方側へ向かって突出し、前記第一ハウジング（オスハウジング７０）との嵌合時に一対の前記弾性押圧片（８３）の間に嵌め込まれる絶縁板部（２９）を有する
ことを特徴とする［１］に記載のコネクタ。
［３］  前記ショート端子（８１）の前記接点（９３）は、前記第一ハウジング（オスハウジング７０）と前記第二ハウジング（メスハウジング２０）とが嵌合あるいは離脱される際に、前記接続端子（オス端子７５）に対して摺動される
ことを特徴とする［１］または［２］に記載のコネクタ。
【符号の説明】
【００４７】
１０：コネクタ
２０：メスハウジング（第二ハウジング）
２５：メス端子（接続端子）
２９：絶縁板部
７０：オスハウジング（第一ハウジング）
７５：オス端子（接続端子）
８１：ショート端子
８３：弾性押圧片
９３：接点
【図１】
2020068127.tif 000003
【図２】
2020068127.tif 000004
【図３】
2020068127.tif 000005
【図４】
2020068127.tif 000006
【図５】
2020068127.tif 000007
【図６】
2020068127.tif 000008
【図７】
2020068127.tif 000009
【図８】
2020068127.tif 000010
【図９】
2020068127.tif 000011